(57)【要約】      （修正有）【課題】電力線に接続された電源ソケットに接続されて、電気・電子機器に電源を供給する配電装置に関し、接続される電気・電子機器に電力を供給しつつ、高速電力線通信へのノイズの影響を低減でき、かつ、定格電流以下で安全に動作させることができる配電装置を提供する。【解決手段】電気・電子機器の差込プラグがプラグ受けに挿入される機器接続用ソケット１３２と、電力線通信装置の差込プラグがプラグ受けに挿入される電力線通信用ソケット１３１と、電力線通信用ソケットと機器接続用ソケットとの間に設けられ、機器接続用ソケット側と電力線通信用ソケット側との間での少なくとも電力線通信周波数帯域を含む信号、及び、ノイズの伝達をカットするフィルタと、過電流時に、少なくとも機器接続用ソケットと電源差込プラグとの接続を遮断する遮断器とを有する配電装置１００。【選択図】図１
0003137934.tif 000002
【実用新案登録請求の範囲】
【請求項１】
電力線に接続された電源ソケットのプラグ受けに挿入される電源差込プラグと、電気・電子機器の差込プラグがプラグ受けに挿入されるソケットとを有する配電装置であって、
前記電気・電子機器の差込プラグがプラグ受けに挿入される機器接続用ソケットと、
電力線通信装置の差込プラグがプラグ受けに挿入される電力線通信用ソケットと、
前記電力線通信用ソケットと前記機器接続用ソケットとの間に設けられ、前記機器接続用ソケット側と前記電力線通信用ソケット側との間での少なくとも電力線通信周波数帯域を含む信号、及び、ノイズの伝達をカットするフィルタと、
過電流時に、少なくとも前記機器接続用ソケットと前記電源差込プラグとの接続を遮断する遮断器とを有する配電装置。
【請求項２】
前記遮断器は、前記過電流検知時に、更に、前記電力線通信用ソケットと前記電源差込プラグとの接続を遮断する請求項１記載の配電装置。
【請求項３】
前記機器接続用ソケット及び前記電力線通信用ソケット、前記フィルタ、前記遮断器は、ソケット本体に設けられ、
前記電源差込プラグは、ケーブルを介して前記ソケット本体に接続される請求項１又は２記載の配電装置。
【請求項４】
前記機器接続用ソケット、前記フィルタ、前記遮断器は、ソケット本体に設けられ、
前記電源差込プラグと前記電力線通信用ソケットは、一体に設けられ、ケーブルを介して前記ソケット本体に接続される請求項１又は２記載の配電装置。
【請求項５】
前記電源差込プラグを前記電源ソケットの差込口に差し込んだときに、前記電源ソケットの差込口を閉蓋する閉蓋部材を有する請求項１乃至４のいずれか一項記載の配電装置。
【請求項６】
前記閉蓋部材は、前記電源差込プラグに対して、前記電源ソケットの差込口の配列方向にスライド可能とされているスライド部材を有する請求項５記載の配電装置。
【請求項７】
前記スライド部材は、前記電源ソケットの差込口に差込可能とされた差込部を有する請求項６記載の配電装置。
【考案の詳細な説明】
【技術分野】
【０００１】
本考案は配電装置に係り、特に、電力線に接続された電源ソケットに接続されて、電気・電子機器に電源を供給する配電装置に関する。
【背景技術】
【０００２】
近年、コンピュータなどの電気・電子機器間での高速通信方法として、高速電力線通信（ＰＬＣ；power line communication）が注目されている。高速電力線通信は、普通の電力線に高速のデータを乗せて通信を行う技術であり、家庭内などにおいては、通信専用のケーブルなどを新たに敷設することなく、埋込電源コンセントを通して通信を行うことができる。
【０００３】
また、埋込電源コンセントに高速電力線通信モデムが接続されると、高速電力線通信のために電源コンセントが塞がり、電気・電子機器を接続するための電源コンセントが確保できなくなる。このため、高速電力線通信モデムを接続しつつも、電源コンセントを確保するために、高速電力線通信モデムを内蔵するとともに、単一、又は、複数の電源コンセント及びモジュラージャックを搭載した電力線通信用配電装置が提案されている（例えば、特許文献１−３参照）。
【０００４】
また、電源コンセントに、例えば、高速電力線通信帯域のノイズを発生する電気・電子機器が接続されると、ノイズが電力線を伝搬して、高速電力線通信に影響を与える。このため、配電装置の電子・電気機器を接続する電源ソケットに高速電力線通信帯域の信号・ノイズをカットするフィルタを設けた電力線通信用配電装置が提案されている（例えば、特許文献４、５参照）。
【特許文献１】特開２００６−３１９６６３号公報
【特許文献２】特開２００６−３１９６６４号公報
【特許文献３】特開２００６−３１９６６５号公報
【特許文献４】特開２００７−８８６３８号公報
【特許文献５】特開２００７−１８９４３９号公報
【考案の開示】
【考案が解決しようとする課題】
【０００５】
しかるに、高速電力線通信では、埋込電源コンセントに高速電力線通信帯域のノイズを発生する電気・電子機器が接続されると、ノイズが電力線を伝搬して、高速電力線通信に影響を与えることになる。近年の電気・電子機器は高速電力線通信帯域のノイズを発生するものが多く、これらの電気・電子機器を、本来は全てフィルタを内蔵した配電装置の電源コンセントに接続する必要がある。このため、多くの電気・電子機器を配電装置の電源ソケットに接続すると、配電装置に流れる電流が増大し、配電装置の定格電流を超えることもある。
【０００６】
しかしながら、従来の高速電力線通信用配電装置では、配電装置の負荷電流の増加に対する対策は全く取られていなかった。
【０００７】
本考案は上記の点に鑑みてなされたもので、接続される電気・電子機器に電力を供給しつつ、高速電力線通信へのノイズの影響を低減でき、かつ、定格電流以下で安全に動作させることができる配電装置を提供することを目的とする。
【課題を解決するための手段】
【０００８】
本考案は、電力線に接続された電源ソケットのプラグ受けに挿入される電源差込プラグと、電気・電子機器の差込プラグがプラグ受けに挿入されるソケットとを有する配電装置であって、電気・電子機器の差込プラグがプラグ受けに挿入される機器接続用ソケットと、電力線通信装置の差込プラグがプラグ受けに挿入される電力線通信用ソケットと、電力線通信用ソケットと機器接続用ソケットとの間に設けられ、機器接続用ソケット側と電力線通信用ソケット側との間での少なくとも電力線通信周波数帯域を含む信号、及び、ノイズの伝達をカットするフィルタと、過電流時に、少なくとも機器接続用ソケットと電源差込プラグとの接続を遮断する遮断器とを有することを特徴とする。
【０００９】
また、遮断器は、過電流検知時に、更に、電力線通信用ソケットと電源差込プラグとの接続を遮断することを特徴とする。
【００１０】
また、機器接続用ソケット及び電力線通信用ソケット、フィルタ、遮断器は、ソケット本体に設けられ、前記電源差込プラグは、ケーブルを介してソケット本体に接続されたことを特徴とする。
【００１１】
機器接続用ソケット、フィルタ、遮断器は、ソケット本体に設けられ、電源差込プラグと電力線通信用ソケットは、一体に設けられ、ケーブルを介してソケット本体に接続されることを特徴とする。
【００１２】
電源差込プラグを電源ソケットの差込口に差し込んだときに電源ソケットの差込口を閉蓋する閉蓋部材を有することを特徴とする。
【００１３】
閉蓋部材は、電源差込プラグに対して、電源ソケットの差込口の配列方向にスライド可能とされているスライド部材を有することを特徴とする
スライド部材は、電源ソケットの他の差込口に差込可能とされた差込部を有することを特徴とする。
【考案の効果】
【００１４】
本考案によれば、電力線に接続された電源ソケットのプラグ受けに挿入される電源差込プラグと、電気・電子機器の差込プラグがプラグ受けに挿入されるソケットとを有する配電装置に、電気・電子機器の差込プラグがプラグ受けに挿入される機器接続用ソケットと、電力線通信装置の差込プラグがプラグ受けに挿入される電力線通信用ソケットと、電力線通信用ソケットと機器接続用ソケットとの間に設けられ、機器接続用ソケット側と電力線通信用ソケット側との間のノイズの伝達をカットするフィルタと、過電流時に、少なくとも機器接続用ソケットと電源差込プラグとの接続を遮断する遮断器とを設けることにより、機器接続用ソケットに接続された電気・電子機器からのノイズが電力線に混入することを防止できるとともに、電力線通信の信号がノイズとして機器接続用ソケット側に侵入することを防止できる。また、遮断器により配電装置の過電流を防止できる。
【考案を実施するための最良の形態】
【００１５】
図１は本考案の第１実施例の概略構成図、図２は本考案の第１実施例の平面図、図３は本考案の第１実施例の回路構成図を示す。
【００１６】
本考案の第１実施例の配電装置１００は、いわゆる、電源タップと呼ばれるものであり、電源差込プラグ１１１、ケーブル１１２、ソケット本体１１３から構成されている。
【００１７】
電源差込プラグ１１１は、例えば、いわゆる、二極プラグから構成されており、埋込電源ソケット１２１の差込口１２２に挿入される。電源入力用差込プラグ１１１は、ケーブル１１２を介してソケット本体１１３に接続されている。なお、埋込電源ソケット１２１は、建物の壁などに埋め込まれて設置されており、屋内電力線に接続されている。
【００１８】
ソケット本体１１３は、電力線通信用ソケット１３１、機器接続用ソケット１３２、遮断器１３３、フィルタ１３４をケース１３５に収納した構成とされている。
【００１９】
電力線通信用ソケット１３１には、高速電力線通信（ＰＬＣ）モデム２００の差込プラグ２１１が挿入される。
【００２０】
機器接続用ソケット１３２には、マルチ電源タップ３００などの差込プラグ３１１が挿入される。
【００２１】
遮断器１３３は、負荷電流が過電流状態になると、電源差込プラグ１１１と電力線通信用ソケット１３１及び機器接続用ソケット１３２との接続を遮断する。遮断器１３３には、リセットボタン１３３ａが設けられている。リセットボタン１３３ａは、ケース１３５より外側に延出しており、遮断機１３３が遮断されると、ケース１３５より外側に突出する。遮断後、リセットボタン１３３ａを押下することにより、電源差込プラグ１１１と電力線通信用ソケット１３１及び機器接続用ソケット１３２との遮断状態が解除され、電源プラグ１１１と電力線通信用ソケット１３１及び機器接続用ソケット１３２が接続される。
【００２２】
フィルタ１３４は、コンデンサＣ１、Ｃ２、及び、コモンモードチョークコイルＣＨ１、ＣＨ２から構成されており、少なくとも５０Ｈｚ、あるいは、６０Ｈｚ程度以下の低域成分を通過させる低域通過フィルタ回路を構成している。フィルタ１３４は、電力線通信用ソケット１３１と機器接続用ソケット１３２との間に接続されている。機器接続用ソケット側と電力線通信用ソケット側との間での高速電力線通信帯域の信号、及び、ノイズの伝達をカットする。これにより、フィルタ１３４は、機器接続用ソケットに接続された電気・電子機器からのノイズが電力線に混入することを防止できるとともに、電力線通信の信号がノイズとして機器接続用ソケット側に侵入することを防止できる。
【００２３】
次に、配電装置１００の動作を説明する。
【００２４】
電力線通信用ソケット１３１には、高速電力線通信（ＰＬＣ）モデム２００の差込プラグ２１１が挿入される。高速電力線通信（ＰＬＣ）モデム２００は、埋込電源ソケット１２１に接続された電力線を用いて通信を行うための通信装置であり、差込プラグ２１１、ケーブル２１２、モデム本体２１３、ＬＡＮケーブル２１４などを含む構成とされている。
【００２５】
差込プラグ２１１は、埋込電源ソケット１２１のプラグ受けに挿入される。また、差込プラグ２１１は、ケーブル２１２を介してモデム本体２１３に接続されている。モデム本体２１３は、ＬＡＮケーブル２１４からのデジタル信号を電力線の特性に合わせたアナログ信号にデジタル変調して送信するとともに、電力線からのアナログ信号をデジタル信号に復調して受信し、ＬＡＮケーブル２１４を介してパーソナルコンピュータなどの電気・電子機器に送信する通信装置である。
【００２６】
機器接続用ソケット１３２には、マルチ電源タップ３００が接続される。マルチ電源タップ３００は、電源差込プラグ３１１、ケーブル３１２、タップ本体３１３を含む構成とされている。電源差込プラグ３１１は、配電装置１００の機器接続用ソケット１３２に差し込まれる。ケーブル３１２は、配電装置１００から機器接続用ソケット１３２に供給された電力をタップ本体３１３に供給する。タップ本体３１３には、複数のソケット３１４が設けられている。ソケット３１４には、例えば、パーソナルコンピュータやスキャナ、プリンタなどの周辺機器、携帯電話機の充電器などの電気・電子機器が接続される。
【００２７】
ソケット３１４に接続されたパーソナルコンピュータ、その周辺機器、携帯電話機の充電器などの電気・電子機器の電源ラインにノイズが乗ると、ケーブル３１２、電源差込プラグ３１１を介して機器接続用ソケット１３２にノイズが侵入する。このとき、機器接続用ソケット１３２は、フィルタ１３４を介して電力線通信用ソケット１３１に接続されているため、機器接続用ソケット１３２に侵入したノイズはフィルタ１３４によりカットされ、電力線通信用ソケット１３１側、すなわち、電力線側に侵入することはない。よって、電気・電子機器のノイズによって、通信速度が低下することを防止できる。また、電力線通信用ソケット１３１側から機器接続用ソケット１３２側に通信信号が漏洩することを防止できる。
【００２８】
さらに、マルチ電源タップ３００に接続されたパーソナルコンピュータ、その周辺機器、携帯電話機の充電器などの電気・電子機器の消費電流が遮断器１３３の遮断電流に達すると、遮断器１３３が遮断して、電気・電子機器への電流の供給を遮断する。遮断器１３３により配電装置１００に流れる電流を定格以下に抑えることができ、配電装置１００の過電流を防止できる。よって、配電装置１００の破損を回避し、更には火災等の重大事故を防ぐ事が出来る。
【００２９】
なお、本実施例では、遮断器１３３を電源差込プラグ１１１と電力線通信用ソケット１３１及び機器接続用ソケット１３２との間に接続したが、遮断器１３３を電力線通信用ソケット１３１と機器接続用ソケット１３２との間に接続するようにしてもよい。
【００３０】
図４は本考案の第２実施例の回路構成図を示す。同図中、図３と同一構成部分には同一符号を付し、その説明は省略する。
【００３１】
本実施例の配電装置４００は、遮断器１３３の接続位置が第１実施例とは相違する。本実施例は、遮断器１３３を電力線通信用ソケット１３１と機器接続用ソケット１３２との間に接続した構成とされている。
【００３２】
遮断器１３３を電力線通信用ソケット１３１と機器接続用ソケット１３２との間に接続することにより機器接続用ソケット１３２に接続された電気・電子機器の負荷電流が増大し、遮断器１３３が起動し、遮断されても電力線通信用ソケット１３１は、電力線に接続された状態を維持できるため、高速電力線通信モデム２００により通信を継続することができる。
【００３３】
図５は本考案の第３実施例の概略構成図、図６は本考案の第３実施例の斜視図、図７は本考案の第３実施例の回路構成図を示す。同図中、図１と同一構成部分には同一符号を付し、その説明は省略する。
【００３４】
本実施例の配電装置５００は、電源差込プラグ部５１１に、電源差込プラグ１１１と電力線通信用ソケット１３１とを一体に設けた構成とされている。電力線通信用ソケット１３１には、高速電力線通信モデム２００の差込プラグ２１１が接続される。
【００３５】
電源差込プラグ部５１１は、ケーブル５１２を介してソケット本体５１３と接続されている。ソケット本体５１３には、機器接続用ソケット１３２、遮断器１３３、フィルタ１３４が内蔵されている。機器接続用ソケット１３２には、マルチ電源タップ３００の差込プラグ３１１が差し込まれる。
【００３６】
本実施例では、電力線通信用ソケット１３１を電源差込プラグ部５１１側に設け、機器接続用ソケット１３２をソケット本体５１３側に設けることにより、電力線通信用ソケット１３１と機器接続用ソケット１３２とを別々の場所に設けることができるので、マルチ電源タップ３００の差込プラグ３１１を電力線通信用ソケット１３１に差し込んだり、高速電力線通信モデム２００の差込ソケット２１１を機器接続用ソケット１３２に差し込んだりする、誤接続を防止できる。
【００３７】
図８は電源差込プラグ１１１の変形例の斜視図を示す。図８（Ａ）は２口の埋込電源ソケットへの適用例、図８（Ｂ）は３口の埋込電源ソケットへの適用例を示している。
【００３８】
本変形例の電源差込プラグ部６１１は、複数の差込口１２２を有する埋込電源ソケット１２１に適用されるものであり、電源差込プラグ本体６２１、スライド部材６２２を含む構成とされている。電源差込プラグ本体６２１は、ベース部材６３１に電源差込プラグ６３２を埋め込んだ構成とされている。
【００３９】
ベース部材６３１は、埋込電源ソケット１２１の下側、矢印Ａ１方向側をカバーする。電源差込プラグ６３２は、ケーブル１１２に接続されており、埋込電源ソケット１２１の内の最下部の差込口１２２ａに差し込まれて、ケーブル１１２を介して電力線をソケット本体１１３に接続する。
【００４０】
なお、ベース部材６３１からは、上側、矢印Ａ２方向にガイド部６３３が延出している。ガイド部６３３には、スライド部材６２２が矢印Ａ方向にスライド可能に係合する。
【００４１】
スライド部材６２２には、内側、電源差込プラグ６３２が突出する側に差込部６４１が一体に形成されている。差込部６４１は、ダミーの電源差込プラグであり、例えば、絶縁性の樹脂材などから構成され、電源差込プラグ６３２と同じ形状に形成されている。差込部６４１は、埋込電源ソケット１２１に設けられた複数の差込口１２２のうちの、例えば、最上部の差込口１２２ｂに差し込まれる。差込部６４１が埋込電源ソケット１２１の最上部の差込口１２２ｂに差し込まれることにより、電源差込プラグ６１１を安定して、埋込電源ソケット１２１に保持することができる。
【００４２】
また、電源差込プラグ６３２を埋込電源ソケット１２１の最下部の差込口１２２ａに差し込み、差込部６４１を埋込電源ソケット１２１の最上部の差込口１２２ｂに差し込むことにより、ベース部材６３１、ガイド部６３３、スライド部材６２２により埋込電源ソケット１２１の複数の差込口１２２が閉蓋されて、電源差込プラグ６３２の差込口１２２に他の電気・電子機器の差込プラグを差し込むことができなくなる。これによって、ノイズ源となる電気・電子機器がフィルタを介さずに、直接、電力線に接続されることを防止でき、電力線通信を高速に行えるようになる。
【００４３】
また、上記実施例の配電装置１００、４００、５００を用いることにより、高速電力線通信の通信速度、通信品質の劣化を防止しつつ、既存のマルチ電源タップ３００を用いることが可能となる。
【００４４】
また、高速電力線通信用モデム２００の本体をノイズ源から離して設けることができるため、ノイズによる通信速度の低減、及び、通信品質の劣化を抑制できる。
【００４５】
なお、本考案は上記実施例に限定されるものではなく、本考案の要旨を逸脱しない範囲において種々の変形例が考えられることは言うまでもない。
【図面の簡単な説明】
【００４６】
【図１】本考案の第１実施例の概略構成図である。
【図２】本考案の第１実施例の平面図である。
【図３】本考案の第１実施例の回路構成図である。
【図４】本考案の第２実施例の回路構成図である。
【図５】本考案の第３実施例の概略構成図である。
【図６】本考案の第３実施例の斜視図である。
【図７】本考案の第３実施例の回路構成図である。
【図８】電源差込プラグ１１１の変形例の斜視図である。
【符号の説明】
【００４７】
１００、４００、５００  配電装置
１１１  電源差込プラグ、１１２  ケーブル、１１３  ソケット本体
１２１  埋込電源ソケット、１２２、１２２ａ、１２２ｂ  差込口
１３１  電力線通信用ソケット、１３２  機器接続用ソケット、１３３  遮断器
１３４  フィルタ、１３５  ケース
１３３ａ  リセットボタン
Ｃ１、Ｃ２  コンデンサ、ＣＨ１、ＣＨ２  コモンモードチョークコイル
２００  高速電力線通信用モデム
２１１  差込プラグ、２１２  ケーブル、２１３  モデム本体、２１４  ＬＡＮケーブル
３００  マルチ電源タップ
３１１  電源差込プラグ、３１２  ケーブル、３１３  タップ本体、３１４  ソケット
５１１  電源差込プラグ部、５１２  ケーブル、５１３  ソケット本体
６１１  電源差込プラグ部
６２１  電源差込プラグ本体、６２２  スライド部材
６３１  ベース部材、６３２  電源差込プラグ、６３３  ガイド部
６４１  差込部
【図１】
0003137934.tif 000003
【図２】
0003137934.tif 000004
【図３】
0003137934.tif 000005
【図４】
0003137934.tif 000006
【図５】
0003137934.tif 000007
【図６】
0003137934.tif 000008
【図７】
0003137934.tif 000009
【図８】
0003137934.tif 000010